(57)【要約】      （修正有）【課題】炬燵のように暖気で身体を暖めることができるとともに、人が席に座ったり席から離れたりするときに、支脚が邪魔にならずスムーズに身動きをとることができるヒーター付きテーブルを提供する。【解決手段】本考案では、天板１２の裏面部側にヒーター１４を備えたヒーター付きテーブル１０において、床面に載置される支台１１と、支台１１に下端部が固定されると共に上端部が天板１２を支持する単一の支脚１３とを備えるようにした。【選択図】図２
0003211306.tif 000002
【実用新案登録請求の範囲】
【請求項１】
天板の裏面部側にヒーターを備えたヒーター付きテーブルにおいて、床面に載置される支台と、前記支台に下端部が固定されると共に上端部が前記天板を支持する単一の支脚とを備えたことを特徴とするヒーター付きテーブル。
【請求項２】
前記支脚は、支台に固定される支脚本体と、前記天板を上下動させうる可動支持部と、前記可動支持部を上下動させうる駆動部とを有することを特徴とする請求項１記載のヒーター付きテーブル。
【請求項３】
前記天板は平面長方形状に形成されると共に前記支台は前記天板よりも小径の平面長方形状に形成され、前記ヒーターは全体細長直方体状に形成され、前記天板の幅方向中央部寄りにおいて天板の長さ方向に沿って固定されていることを特徴とする請求項２記載のヒーター付きテーブル。
【請求項４】
前記支脚の上端部は、前記天板の長さ方向中央部であると共に前記天板の幅方向において前記ヒーターの一側方部側に固定されている一方、前記支脚の下端部は前記支台の長さ方向中央部であると共に幅方向の一方側寄りの部位に固定されていることを特徴とする請求項２記載のヒーター付きテーブル。
【請求項５】
前記天板の裏面部側に設けられ、前記ヒーターを着脱可能に保持するブラケット部を備えることを特徴とする請求項１乃至請求項５の何れか１項に記載のヒーター付きテーブル。
【考案の詳細な説明】
【技術分野】
【０００１】
本考案は、天板の裏面部側にヒーターを備えたヒーター付きテーブルに関する。
【背景技術】
【０００２】
従来、炬燵（こたつ）のように暖気で身体を暖めることができるように、天板の裏面にヒーターを備えるようにしたヒーター付きテーブルが提案されている（特許文献１）。
【先行技術文献】
【特許文献】
【０００３】
【特許文献１】特開平１０−８９６９２号
【考案の概要】
【考案が解決しようとする課題】
【０００４】
特許文献１のヒーター付きテーブルでは、天板の裏面にヒーターを備えており、炬燵（こたつ）のように暖気で身体を暖めることができる。
しかし、人が席に座ったり席から離れたりするときに、支脚が邪魔にならずスムーズに身動きをとれるようにしたいという要請に応えることができなかった。
【０００５】
本考案は上記事情に鑑みてなされたもので、炬燵のように暖気で身体を暖めることができるとともに、人が席に座ったり席から離れたりするときに、支脚が邪魔にならずスムーズに身動きをとることができるヒーター付きテーブルを提供することを課題とする。
【課題を解決するための手段】
【０００６】
上述した目的を達成するため、請求項１に記載の考案にあっては、天板の裏面部側にヒーターを備えたヒーター付きテーブルにおいて、床面に載置される支台と、前記支台に下端部が固定されると共に上端部が前記天板を支持する単一の支脚とを備えたことを特徴とする。
【０００７】
請求項１に記載のヒーター付きテーブルは、ヒーターが天板の裏面部側に備えられており、天板の裏面部の下方が暖気で温められるとともに、一般的な４本の支脚を有する炬燵と違い、天板が単一の支脚により支えられる。
【０００８】
請求項２に記載の考案は、請求項１に記載のヒーター付きテーブルであって、前記支脚は、支台に固定される支脚本体と、前記天板を上下動させうる可動支持部と、前記可動支持部を上下動させうる駆動部とを有することを特徴とする。
【０００９】
請求項２に記載のヒーター付きテーブルの支脚は、天板を上下動させうる可動支持部を備えることから、天板の高さ調節が可能となる。
【００１０】
請求項３に記載の考案は、請求項２に記載のヒーター付きテーブルであって、前記天板は平面長方形状に形成されると共に前記支台は前記天板よりも小径の平面長方形状に形成され、前記ヒーターは全体細長直方体状に形成され、前記天板の幅方向中央部寄りにおいて天板の長さ方向に沿って固定されていることを特徴とする。
【００１１】
請求項３に記載のヒーター付きテーブルのヒーターは、天板の幅方向中央部寄りにおいて天板の長さ方向に沿って固定されているため、天板のいずれの長辺部側も略均しく暖められるとともに短辺部側も良好に暖められる。
【００１２】
請求項４に記載の考案は、請求項２に記載のヒーター付きテーブルであって、前記支脚の上端部は、前記天板の長さ方向中央部であると共に前記天板の幅方向において前記ヒーターの一側方部側に固定されている一方、前記支脚の下端部は前記支台の長さ方向中央部であると共に幅方向の一方側寄りの部位に固定されていることを特徴とする。
【００１３】
請求項４に記載のヒーター付きテーブルにあっては、一般的な４本の支脚を有する炬燵と違い、天板中央寄りで単一の支脚により天板が支えられる。また、支脚は天板の短辺部側から見て天板の中央から外れた位置に配置されるため、天板の長辺部側から支脚までの距離が大きく形成される着座側とこの距離が小さく形成される着座側とが設けられる。
【００１４】
請求項５に記載の考案は、請求項１乃至請求項５の何れか１項に記載のヒーター付きテーブルであって、さらに前記天板の裏面部側に設けられ、前記ヒーターを着脱可能に保持するブラケット部を備えることを特徴とする。
【００１５】
請求項５に記載のヒーター付きテーブルは、ヒーターを着脱可能に保持するブラケット部を備えるため、ヒーターを天板から取り外すことができる。
【考案の効果】
【００１６】
請求項１に記載のヒーター付きテーブルによれば、天板の裏面部の下方が暖気で温められるため、炬燵のように暖気で身体を暖めることができる。また、一般的な４本の支脚を有する炬燵と違い天板が単一の支脚により支えられるため、人が席に座ったり席から離れたりするときに、支脚が邪魔にならずスムーズに身動きをとることができる。
【００１７】
従って、請求項１に記載のヒーター付きテーブルによれば、炬燵のように暖気で身体を暖めることができるとともに、人が席に座ったり席から離れたりするときに、支脚が邪魔にならずスムーズに身動きをとることができる。
【００１８】
請求項２に記載のヒーター付きテーブルによれば、天板の高さ調節が可能となるため、ソファーや椅子などの腰掛の高さとの関係で使用制限を受けることなく使用でき、需要者のニーズに柔軟に応じることができる。
【００１９】
また、足元や膝の集中的な暖めは、天板の位置を低く調節してヒーターを膝元に近づけることにより、身体のより広範囲の暖めは、天板の位置をより高く調整することにより、それぞれ対応できる。従って、ヒーターの出力調節を行うことなく、天板の高さ調節のみにより、暖気によるくつろぎ方を変えることができる。
【００２０】
請求項３に記載のヒーター付きテーブルによれば、天板のいずれの長辺部側も略均しく温められるとともに短辺部側も良好に温められるため、天板を囲む何れの着座者も偏りなく良好に暖まることができる。
【００２１】
請求項４に記載のヒーター付きテーブルによれば、一般的な４本の支脚を有する炬燵と違い、天板中央寄りにて単一の支脚により天板が支えられるため、一般的な４本の支脚を有する炬燵であれば各支脚と接触するような寸法及び配置のソファーなどの腰掛が併用されるときでも、人が席に座ったり席から離れたりするときに支脚が邪魔にならずスムーズに身動きをとることができる。
【００２２】
また、天板の長辺部側から支脚までの距離が大きく形成される着座側が設けられるので、この着座側にソファーなどの腰掛を配置すれば、人が席に座ったり席から離れたりするときに支脚が邪魔にならずスムーズに身動きをとることができる、という効果を高めることができる。
【００２３】
請求項５に記載のヒーター付きテーブルによれば、ヒーターを天板から取り外すことができるため、ヒーターの清掃や修理が容易となりヒーター付きテーブルの保守を行いやすくなる。また、ヒーターを用いない場合は、ヒーターを取り外して通常のテーブルとして使用することもできる。
【図面の簡単な説明】
【００２４】
【図１】図１は本考案に係るヒーター付きテーブルの一実施形態を示す短辺部側から見た斜視図である。
【図２】図２は本考案に係るヒーター付きテーブルの一実施形態を示す短辺部側から見た側面視の部分断面図である。
【図３】図３は本考案の実施形態に係るヒーター付きテーブルの天板裏面側の構造を示す図である。
【考案を実施するための形態】
【００２５】
添付図面を参照して、本考案の実施形態を説明する。
図１及び図２に示すように、本実施形態のヒーター付きテーブル１０は、天板１２、床面３０に載置される支台１１、支台１１に下端部が固定されると共に上端部が天板１２を支持する単一の支脚１３、及び天板１２の裏面部側に設けられたヒーター１４を備えている。
【００２６】
[天板]
天板１２は、平面長方形状に形成された平板を用いて構成されており、使用者の手などを傷付けないように四隅の縁部にＲ加工が施されている。天板１２は、この裏面に配置されたヒーター１４の熱が天板１２の上面に伝わりにくいように木材で構成されている。
【００２７】
天板１２の裏面側には、図３に示すように、天板１２の板面の領域よりも小さく寸法設定された平面視方形状平型の取り付け板１５が設けられている。
【００２８】
取り付け板１５は、木ネジと接着材を用いて天板１２に固定されており、天板１２と同様、天板１２の裏面に配置されたヒーター１４の熱が天板１２の上面に伝わりにくいように木材で構成されている。
【００２９】
また、天板１２の裏面側には、図３に示すように、天板１２の板面の領域よりも小さく、かつ、取り付け板１５よりも小さく寸法設定された平面視方形状平型の取り付け金属板１８が設けられている。
【００３０】
取り付け金属板１８は、天板１２に固定された取り付け板１５に対し、その四隅の近傍でボルト２４・・・により固定されている。この取り付け金属板１８は、支脚１３を天板１２の裏面側にて固定保持するものである。
【００３１】
[ヒーター]
ヒーター１４は、図３に示すように、全体細長直方体状に形成されており、天板１２の長さ方向の末端から１０ｃｍ程度を余し、天板１２の長さ方向の略全長に亘る長さ寸法を有している。このヒーター１４は、天板１２の幅方向中央部において、その長辺部が天板１２の長さ方向に沿って、天板１２の裏面部側で固定されている。尚、このヒーター１４は、電力の供給を受けて発熱するものである。
【００３２】
ヒーター１４は、図３に示すように、長手方向の中央に位置する区画部１４ａにより区画され離間配置された２つの発熱部１４ａ，１４ａを有している。天板１２の長辺部側から見たとき、ヒーター１４の区画部１４ａと支脚１３が互いに重なるように相互配置が設定されており、ヒーター１４の発熱部１４ｂ，１４ｂの熱が支脚１３に伝わりにくいようになっている。
【００３３】
また、ヒーター１４は、図３に示すように、天板１２の裏面部に取り付けられたブラケット部２２により着脱可能に保持されている。ブラケット部２２は、発熱部１４ｂ，１４ｂの放熱口を残して上面部の全体を覆うように形成されており、発熱部１４ｂ，１４ｂの熱が天板１２に伝わりくように木材で構成されている。
【００３４】
ブラケット部２２とヒーター１４の互いの着脱の機構は、図３に示すように、ブラケット部２２の外側から取り外し可能なヒーター固定ネジ２３，２３を用いて構成されている。ブラケット部２２は、取り付け板１５や取り付け金属板１８を跨いで天板１２に接着又はビス止めされている。
【００３５】
[支脚]
支脚１３は、図２に示すように、支台１１に固定される支脚本体１７、天板１２を上下動させうる可動支持部１６、及び可動支持部１６を上下動させうる駆動部１９を有している。
【００３６】
支脚１３の可動支持部１６は、横断面方形状の金属筒により構成されている。可動支持部１６の上端部は、取り付け金属板１８に溶接固定されている。振り返り、取り付け金属板１８は、取り付け板１５に固定されており、取り付け板１５は、天板１２に固定されている。
【００３７】
図２に示すように、支脚１３の上端部、即ち、その可動支持部１６の上端部は、天板１２の長さ方向中央部であると共に、天板１２の幅方向においてヒーター１４の一側方部側に固定されており、ヒーター１４と間隔２６を保ち干渉しないように配置されている。
支脚１３の下端部、即ち、その支脚本体１７の下端部は、支台１１の長さ方向中央部であると共に幅方向の一方側寄りの部位に固定されている。
【００３８】
支脚１３の駆動部１９は、内部に窒素ガスを高圧封入しガス圧により摺動しながら上下するピストンを内包したシリンダ２０（図２参照）を有している。
【００３９】
駆動部１９の内部構造の詳細な図示は省略するが、ピストンによって上下に仕切られた２室の開通口を弁によって開閉自在に構成し、ガス圧を調節可能に構成されている。このピストンの上方側に支脚１３の可動支持部１６が接続される。
【００４０】
図１に示すように、支脚１３の下端近傍に駆動部１９の操作部としての足踏ペダル２１が設けられており、足踏ペダル２１を足で踏む操作によって上述の弁が開き、足踏ペダル２１から足を離すと内蔵したスプリングの力で弁が閉じる仕組みとなっている。
【００４１】
駆動部１９は、弁が閉じているときはピストンで仕切られたシリンダ２０内の上下２室の圧力が平衡状態にあってピストンは停止した状態を維持するが、弁を開くと内部のガスが一方の室から他方の室へ開通口を通って流動可能となるので、ピストンがシリンダ２０内を摺動しながら上下可能となって支脚１３の可動支持部１６が上下動可能となる。
【００４２】
[支台]
支台１１は、天板１２と同様、平面長方形状の平板により構成され天板１２と対面配置されており、使用者の足などを傷付けないように四隅の縁部にＲ加工が施されている。この支台１１は、天板１２よりも小径の平面長方形状に形成され、ヒーター付きテーブル１０が傾倒しないように十分な接地面を有して全体を支えている。
【００４３】
支台１１の長さ方向の中心と天板１２の長さ方向の中心が一致するように、かつ、支台１１の幅方向の中心と天板１２の幅方向の中心が一致するようにして、支台１１と天板１２は互いの配置が設定されている。
【００４４】
次に、効果を説明する。
本実施形態のヒーター付きテーブル１０は、天板１２の裏面部側に配置されるヒーター１４、床面３０に載置される支台１１、及び支台１１に下端部が固定されると共に上端部が天板１２を支持する単一の支脚１３を備えている。
【００４５】
このようにヒーター付きテーブル１０にあっては、天板１２の裏面部側にヒーター１４が設けられているため、天板１２の裏面部の下方が暖気で温められ、炬燵のように暖気で身体を暖めることができる。
また、ヒーター付きテーブル１０にあっては、一般的な４本の支脚を有する炬燵と違い、天板１２が単一の支脚１３により支えられるため、人が席に座ったり席から離れたりするときに、支脚１３が邪魔にならずスムーズに身動きをとることができる。
【００４６】
また、ヒーター付きテーブル１０の支脚１３は、支台１１に固定される支脚本体１７、天板１２を上下動させうる可動支持部１６、可動支持部１６を上下動させうる駆動部１９を有しているため、天板１２の高さ調節が可能となる。従って、ソファーや椅子などの高さとの関係で使用制限を受けることなく使用でき、需要者のニーズに柔軟に応じることができる。
【００４７】
さらに、ヒーター付きテーブル１０の天板１２の高さが調節可能であるため、ヒーター１４の出力調節を行うことなく、天板１２の高さ調節のみにより、暖気によるくつろぎ方を変えることができる。
【００４８】
以上、本考案に係るヒーター付きテーブルを一実施形態に基づき説明してきたが、実用新案登録請求の範囲に記載の考案は、他の形態によっても実施することができる。
【００４９】
例えば、本実施形態では、天板１２は木材で構成する例を示したが、ガラス、耐熱性を有する合成樹脂、又は金属で構成することができる。
【００５０】
また、天板１２は、平面視長方形状としたが、天板１２は、例えば平面視で正方形、円形、楕円形、三角形や他の多角形、又は種々の非対称形のものでもよい。
【００５１】
また、駆動部１９として内部に高圧ガスや油などの流体が封入されたシリンダ２０を使用した無段式のものを用いたが、例えばネジやピンを利用して高さ調節・固定を行う有段式のものを用いてもよい。
【００５２】
また、支脚１３は横断面方形状であるが、支脚の形状に制限はない。例えば、支脚１３は、横断面円形状のものを用いてもよい。
【００５３】
また、ヒーター１４は、電力の供給を受けて発熱するものを用いたが、ヒーターは、燃料を用いる他の暖房装置でもよい。また、天板１２の裏面部又はその下方に複数のヒーター１４を設けるようにしてもよい。
【符号の説明】
【００５４】
１０   ヒーター付きテーブル
１１   支台
１２   天板
１３   支脚
１４   ヒーター
１４ａ 区画部
１４ｂ 発熱部
１５   取り付け板
１６   可動支持部
１７   支脚本体
１８   取り付け金属板
１９   駆動部
２０   シリンダ
２１   足踏ペダル
２２   ブラケット部
２３   ヒーター固定ネジ
２４   ボルト
２６   支脚とヒーターの間隔
３０   床面
【図１】
0003211306.tif 000003
【図２】
0003211306.tif 000004
【図３】
0003211306.tif 000005
【手続補正書】
【提出日】平成29年4月24日(2017.4.24)
【手続補正１】
【補正対象書類名】実用新案登録請求の範囲
【補正対象項目名】全文
【補正方法】変更
【補正の内容】
【実用新案登録請求の範囲】
【請求項１】
天板の裏面部側にヒーターを備えたヒーター付きテーブルにおいて、床面に載置される支台と、前記支台に下端部が固定されると共に上端部が前記天板を支持する単一の支脚とを備えたことを特徴とするヒーター付きテーブル。
【請求項２】
前記支脚は、支台に固定される支脚本体と、前記天板を上下動させうる可動支持部と、前記可動支持部を上下動させうる駆動部とを有することを特徴とする請求項１記載のヒーター付きテーブル。
【請求項３】
前記天板は平面長方形状に形成されると共に前記支台は前記天板よりも小径の平面長方形状に形成され、前記ヒーターは全体細長直方体状に形成され、前記天板の幅方向中央部寄りにおいて天板の長さ方向に沿って固定されていることを特徴とする請求項２記載のヒーター付きテーブル。
【請求項４】
前記支脚の上端部は、前記天板の長さ方向中央部であると共に前記天板の幅方向において前記ヒーターの一側方部側に固定されている一方、前記支脚の下端部は前記支台の長さ方向中央部であると共に幅方向の一方側寄りの部位に固定されていることを特徴とする請求項２記載のヒーター付きテーブル。
【請求項５】
前記天板の裏面部側に設けられ、前記ヒーターを着脱可能に保持するブラケット部を備えることを特徴とする請求項１乃至請求項４の何れか１項に記載のヒーター付きテーブル。
【手続補正２】
【補正対象書類名】明細書
【補正対象項目名】００１４
【補正方法】変更
【補正の内容】
【００１４】
請求項５に記載の考案は、請求項１乃至請求項４の何れか１項に記載のヒーター付きテーブルであって、さらに前記天板の裏面部側に設けられ、前記ヒーターを着脱可能に保持するブラケット部を備えることを特徴とする。